(57)【要約】【課題】横長画面と縦長画面とをユーザが切り替えることを容易にしつつ、壁面への取り付けを簡易な仕組みで実現することが可能な表示装置を提供すること。【解決手段】壁面に固定された回転ローリー２０に吊下げ可能な平面型で長方形状の表示装置１０が、表示装置１０の裏面側に回転ローリー２０に引っ掛け可能な穴の領域１３を有するプレート状部材１１を備え、プレート状部材１１が回転ローリー２０に引っ掛かる位置が表示装置１０の回転に伴いずれるようにする。【選択図】図２
2012220716.tif 000002
【特許請求の範囲】
【請求項１】
壁面に固定された吊下げ部材に吊下げ可能な平面型で長方形状の表示装置であって、
前記表示装置の裏面側に前記吊下げ部材に引っ掛け可能な穴の領域を有する取付部材を備えることを特徴とする表示装置。
【請求項２】
前記穴の領域の形状は、円形であることを特徴とする請求項１に記載の表示装置。
【請求項３】
前記取付部材には、前記吊下げ部材がはまり込む凹部が前記表示装置の長辺および短辺に対応するそれぞれの位置に形成されていることを特徴とする請求項１または２に記載の表示装置。
【請求項４】
前記取付部材は、プレート状部材であることを特徴とする請求項１〜３のいずれか１項に記載の表示装置。
【請求項５】
前記取付部材は、リング状部材であることを特徴とする請求項１〜３のいずれか１項に記載の表示装置。
【請求項６】
前記リング状部材の外周側に、該リング状部材を前記表示装置の本体部分に連結する連結部材をさらに備えることを特徴とする請求項５に記載の表示装置。
【請求項７】
前記穴の領域の中心が、前記長方形状の表示装置の中心から該表示装置の長辺と平行な方向にずれた位置にあることを特徴とする請求項１〜６のいずれか１項に記載の表示装置。
【発明の詳細な説明】
【技術分野】
【０００１】
本発明は、壁面に固定された吊下げ部材に吊下げ可能な平面型で長方形状の表示装置に関する。
【背景技術】
【０００２】
近年、携帯可能なポータブルテレビが広く利用されている。このポータブルテレビは、手で持って利用される場合もあるし、スタンド等で立てかけて利用される場合もある。さらに、ポータブルテレビは、壁に掛けて使用される場合もある。
【０００３】
特許文献１には、壁掛けテレビの左右方向の角度調整範囲を大きくする技術が開示されている。この技術では、壁掛けテレビとほぼ同じ大きさのベース板が壁面に取り付けられ、壁掛けテレビの背面の左右端には、磁石からなる軸受け部と着脱可能な磁石からなる軸部が取り付けられる。そして、左端あるいは右端のいずれかの軸部を軸受け部から外し、軸受け部と吸着しているもう一方の軸部を支点にして壁掛けテレビを回転させることにより、壁掛けテレビの左右方向の角度調整範囲を大きくする。
【０００４】
また、ポータブルテレビの中には、ディスプレイが回転することにより、通常の映像を表示する場合はその映像をユーザが横長画面で見られるようにし、また、ポートレートなどの静止画を表示する場合はその静止画をユーザが縦長画面で見られるようにしたものもある。
【０００５】
特許文献２には、このような回転動作を一挙動で可能とする薄型表示装置が開示されている。この薄型表示装置では、略長方形の表示面を持つ薄型の表示部をスタンド部が支持し、表示部の背面の中央部分に設けられた水平回転軸が、表示部をスタンド部に対して少なくとも９０度回転可能となるように保持する。
【先行技術文献】
【特許文献】
【０００６】
【特許文献１】特開２００７−３３５９２９号公報
【特許文献２】特開２００４−３０２４９１号公報
【発明の概要】
【発明が解決しようとする課題】
【０００７】
しかしながら、上述した特許文献１の技術は、ディスプレイが回転して横長画面と縦長画面とが切り替わる壁掛けテレビに適用されるものではない。また、壁掛けテレビを壁から取り外した場合に、壁に残されるベース板がむき出しになり、美観上良くないし、邪魔になってしまう。さらに、ベース板を壁面に取り付ける作業も容易ではない。ポータブルテレビを壁に掛ける場合、一般には、ＶＥＳＡ（Video Electronics Standards Association）規格に対応した取り付け金具が用いられるが、ＶＥＳＡ規格においても同様の課題がある。
【０００８】
また、上述した特許文献２の技術は、表示部が少なくとも９０度回転するものであるが、その表示部はスタンド部により支持されるものであり、壁からつり下げられるものではない。壁から表示部をつり下げる場合、表示部側、壁側にそれぞれ設けられる壁掛け用の器具はできるだけ簡易な仕組みのものが望まれるが、特許文献２の技術は、このような要求に応えるものではない。
【０００９】
本発明は、上記課題に鑑み、横長画面と縦長画面とをユーザが切り替えることを容易にしつつ、壁面への取り付けを簡易な仕組みで実現することが可能な表示装置を提供することを目的とする。
【課題を解決するための手段】
【００１０】
上記課題を解決する為に、本発明の第１の技術手段は、壁面に固定された吊下げ部材に吊下げ可能な平面型で長方形状の表示装置であって、前記表示装置の裏面側に前記吊下げ部材に引っ掛け可能な穴の領域を有する取付部材を備えることを特徴とする。
【００１１】
本発明の第２の技術手段は、第１の技術手段において、前記穴の領域の形状は、円形であることを特徴とする。
【００１２】
本発明の第３の技術手段は、第１または第２の技術手段において、前記取付部材には、前記吊下げ部材がはまり込む凹部が前記表示装置の長辺および短辺に対応するそれぞれの位置に形成されていることを特徴とする。
【００１３】
本発明の第４の技術手段は、第１〜第３のいずれか１つの技術手段において、前記取付部材は、プレート状部材であることを特徴とする。
【００１４】
本発明の第５の技術手段は、第１〜第３のいずれか１つの技術手段において、前記取付部材は、リング状部材であることを特徴とする。
【００１５】
本発明の第６の技術手段は、第５の技術手段において、前記リング状部材の外周側に、該リング状部材を前記表示装置の本体部分に連結する連結部材をさらに備えることを特徴とする。
【００１６】
本発明の第７の技術手段は、第１〜第６のいずれか１つの技術手段において、前記穴の領域の中心が、前記長方形状の表示装置の中心から該表示装置の長辺と平行な方向にずれた位置にあることを特徴とする。
【発明の効果】
【００１７】
本発明によれば、表示装置の裏面側に吊下げ部材に引っ掛け可能な穴の領域を有する取付部材が備えられるので、取付部材が吊下げ部材に引っ掛かる位置が表示装置の回転に伴いずれることにより、横長画面と縦長画面とをユーザが切り替えることが容易になり、表示装置の壁面への取り付けを簡易な仕組みで実現することができる。
【図面の簡単な説明】
【００１８】
【図１】本発明の第１の実施形態に係る表示装置の設置位置の関係を説明するための図である。
【図２】本発明の第１の実施形態に係る表示装置の背面部の一例を示す図である。
【図３】本発明の第１の実施形態に係る表示装置の断面の一例を示す図である。
【図４】本発明の第１の実施形態に係るプレート状部材に施されるカーリング加工を説明するための図である。
【図５】本発明の第１の実施形態に係る表示装置の回転について説明するための図である。
【図６】本発明の第１の実施形態に係る表示装置を２つの回転プーリーを用いて設置する方法の一例について説明するための図である。
【図７】本発明の第１の実施形態に係る表示装置におけるプレート状部材の配置の他の一例を説明するための図である。
【図８】本発明の第１の実施形態に係る表示装置におけるプレート状部材の他の一例を説明するための図である。
【図９】本発明の第２の実施形態に係る表示装置の設置位置の関係を説明するための図である。
【図１０】本発明の第２の実施形態に係る表示装置の背面部の一例を示す図である。
【図１１】本発明の第２の実施形態に係る表示装置における連結部材の一例を説明するための図である。
【図１２】本発明の第２の実施形態に係る表示装置の断面の一例を示す図である。
【図１３】本発明の第２の実施形態に係る表示装置の回転について説明するための図である。
【図１４】本発明の第２の実施形態に係る表示装置を２つの回転プーリーを用いて設置する方法の一例について説明するための図である。
【図１５】本発明の第２の実施形態に係る表示装置を２つの回転プーリーを用いて設置する方法の他の一例について説明するための図である。
【発明を実施するための形態】
【００１９】
以下、添付図面を参照しながら、本発明に係る表示装置の好適な実施形態について説明する。
【００２０】
（第１の実施形態）
図１は、本発明の第１の実施形態に係る表示装置１０の設置位置の関係を説明するための図である。図１に示すように、第１の実施形態に係る表示装置１０は、平面型で長方形状の表示装置である。表示部の比率は、映像のサイズフォーマットにおけるスタンダードモードである４：３またはハイビジョンモードである１６：９が一般的であるが、これに限るものではない。この表示装置１０は、例えば、通常の映像である放送波等からの動画映像を表示する場合はその映像をユーザが横長画面で見られるように（図１（Ａ）を参照）、また、ポートレートのような縦長で撮影した静止画を表示する場合はその静止画をユーザが縦長画面で見られるように（図１（Ｂ）を参照）、回転可能に構成されている。
【００２１】
このような表示装置１０を壁面から吊下げるため、第１の実施形態では、図２に一例を示すようなディスプレイ構造が採用される。図２は、本発明の第１の実施形態に係る表示装置１０の背面部の一例を示す図である。
【００２２】
図２に示すように、この表示装置１０は、プレート状部材（取付部材）１１と、表示装置１０にプレート状部材１１を連結する連結部材１２ａ〜１２ｄを備える。プレート状部材１１は、連結部材１２ａ〜１２ｄに、ねじ止めやビス止め、嵌め込み固定などにより取り付けられる。また、連結部材１２ａ〜１２ｄは、ＶＥＳＡ規格で定められた取付ピッチに対応したものであってもよい。このプレート状部材１１は、表示装置１０と一体となって回転する。また、プレート状部材１１には、円形の穴の領域１３が形成されている。そして、穴の領域１３の中心は、長方形状の表示装置１０の中心１４と一致している。
【００２３】
図２には、壁面に固定される回転プーリー２０（吊下げ部材）が示されている。この回転プーリー２０は、穴の領域１３側からプレート状部材１１に引っ掛かって、プレート状部材１１を吊下げるフックとして機能する。また、回転プーリー２０は、プレート状部材１１の回転に合わせて回転する。これにより、ユーザは表示装置１０の回転を容易に行うことができる。
【００２４】
図３は、本発明の第１の実施形態に係る表示装置１０の断面の一例を示す図である。この断面図は、図２に示した表示装置１０の中心１４を通り、表示装置１０を左右に分ける境界面３０により表示装置１０を切断した場合の右側の切断面を示している。なお、図３には、壁面４０と、壁面４０に固定される回転プーリー２０も示されている。図３に示すように、表示装置１０は、壁面４０から離れて、回転プーリー２０により吊下げられる。また、穴の領域１３の周囲のプレート状部材１１の部分には、カーリング加工が施される。図４は、本発明の第１の実施形態に係るプレート状部材１１に施されるカーリング加工を説明するための図である。
【００２５】
図４に示すように、穴の領域１３の周囲のプレート状部材１１の部分にはカーリング加工が施され、回転プーリー２０の凹部の幅と同程度の幅となるようにプレート状部材１１の部分が丸められる。これにより、プレート状部材１１が回転プーリー２０に引っ掛かった場合に、プレート状部材１１が取り付けられている表示装置１０の安定性が増す。
【００２６】
なお、図３に示すように、回転プーリー２０は、カーリング加工が施されたプレート状部材１１の部分をカバーする脱落防止カバー２１を備えることとしてもよい。脱落防止カバー２１は、ある程度の力が加わらないと動かないように調整されている。脱落防止カバー２１が水平となるまでユーザが脱落防止カバー２１を倒すことにより、プレート状部材１１が回転プーリー２０から不意に外れ、表示装置１０が壁面４０から落下してしまうことを防止することができる。
【００２７】
また、脱落防止カバー２１は、回転プーリー２０の回転をロックする機能も有している。具体的には、ユーザが脱落防止カバー２１を倒して回転プーリー２０を脱落防止カバー２１で押さえつけることにより、回転プーリー２０の回転をロックする。これにより、表示装置１０の重量バランスが左右非対称であったとしても、表示装置１０が壁面４０から斜めに吊下がることを防止することができる。なお、回転プーリー２０の回転をロックする方法はこれに限定されず、他の方法でロックしてもよい。
【００２８】
図５は、本発明の第１の実施形態に係る表示装置１０の回転について説明するための図である。ユーザが横長画面となっている表示装置１０を回転させると、その回転に伴い、プレート状部材１１が回転プーリー２０に引っ掛かる位置が穴の領域１３の周に沿って移動する（図５（Ａ）を参照）。そして、表示装置１０が縦長画面となった場合に回転を停止することにより、ユーザは表示装置１０を横長画面から縦長画面に容易に切り替えることができる（図５（Ｂ）を参照）。
【００２９】
ここで、上記第１の実施形態では、１つの回転プーリー２０を用いて表示装置１０を壁面４０に設置することとしたが、２つの回転プーリー２０を用いて表示装置１０を設置することとしてもよい。図６は、本発明の第１の実施形態に係る表示装置１０を２つの回転プーリー２０を用いて設置する方法の一例について説明するための図である。
【００３０】
図６（Ａ）には、表示装置１０を横長画面にした例が示されている。この例において、２つの回転プーリー２０は、穴の領域１３の上下の互いに対向する位置においてプレート状部材１１を壁面４０に固定する。ユーザが横長画面となっている表示装置１０を回転させると、その回転に伴い、プレート状部材１１が２つの回転プーリー２０に引っ掛かる位置が穴の領域１３の周に沿って移動する。そして、表示装置１０が縦長画面となった場合に回転を停止することにより、図６（Ｂ）に示すように、ユーザは表示装置１０を横長画面から縦長画面に容易に切り替えることができる。
【００３１】
ここで、可とう性を有する２つの回転プーリー２０をたわませて、穴の領域１３の上部でプレート状部材１１に引っ掛かる回転プーリー２０がプレート状部材１１を上方向に引っ張り、穴の領域１３の下部でプレート状部材１１に引っ掛かる回転プーリー２０がプレート状部材１１を下方向に引っ張るようにすることで、プレート状部材１１を壁面４０に固定することとしてもよい。これにより、表示装置１０を壁面４０により確実に固定することができる。
【００３２】
また、プレート状部材１１の穴の領域１３の中心が表示装置１０の中心１４からずれた位置となるようプレート状部材１１が表示装置１０に取り付けられてもよい。図７は、本発明の第１の実施形態に係る表示装置１０におけるプレート状部材１１の配置の他の一例を説明するための図である。
【００３３】
図７（Ａ）に示す表示装置１０では、穴の領域１３の中心が長方形状の表示装置１０の中心１４から長辺と平行な方向にずれている。そのため、図７（Ｂ）に示すように、ユーザが表示装置１０を時計回りに回転させて横長画面を縦長画面に切り替えると、表示装置１０の中心１４をより高い位置に移動することができる。これにより、横長画面と縦長画面とで画面の下端の位置が大きく変化することがなくなり、画面の切り替え後にユーザが感じる違和感を軽減できる。
【００３４】
なお、縦横画面を切り替えるものとして、テーブル等に置く電子式フォトフレームがある。映像が縦長であっても横長であっても、フォトフレームの底面は、テーブルの面にある。本表示装置１０もフォトフレームと同様のカテゴリーの装置と考えられるので、表示装置１０の底辺の位置は同じ位置であることが望ましい。
【００３５】
さらに、表示装置１０が横長画面、あるいは、縦長画面として用いられる場合に回転プーリー２０がはまり込む凹部が、プレート状部材１１にさらに形成されてもよい。図８は、本発明の第１の実施形態に係る表示装置１０におけるプレート状部材１１の他の一例を説明するための図である。図８に示すプレート状部材１１では、回転プーリー２０がはまり込む凹部１５ａ、１５ｂが表示装置１０の長辺および短辺に対応するそれぞれの位置に形成される。これにより、表示装置１０の回転を止めるべき位置が明確になり、表示装置１０が壁面４０に斜めに掛けられることを容易に防止することができる。
【００３６】
（第２の実施形態）
図９は、本発明の第２の実施形態に係る表示装置１０の設置位置の関係を説明するための図である。図９に示すように、第２の実施形態に係る表示装置１０は、平面型で長方形状の表示装置である。この表示装置１０は、例えば、通常の映像を表示する場合はその映像をユーザが横長画面で見られるように（図９（Ａ）を参照）、また、ポートレートなどの静止画を表示する場合はその静止画をユーザが縦長画面で見られるように（図９（Ｂ）を参照）、回転可能に構成されている。
【００３７】
この表示装置１０には、リング状部材５０が取り付けられる。そして、リング状部材５０が、壁面４０に取り付けられた回転プーリー２０に、リング状部材５０の内側の穴の領域側から引っ掛かることにより、表示装置１０が壁面４０から吊下がる。
【００３８】
第２の実施形態では、図１０に一例を示すようなディスプレイ構造が採用される。図１０は、本発明の第２の実施形態に係る表示装置１０の背面部の一例を示す図である。図９に示すように、この表示装置１０は、リング状部材（取付部材）５０と、表示装置１０にリング状部材５０を連結する連結部材１２ａ〜１２ｃを備える。図１０の例では、連結部材１２ａ〜１２ｃは３つ設けられているが、連結部材の数はこれに限定されず、他の数であってもよい。
【００３９】
ここで、リング状部材５０は、強度を確保しつつ、内側に穴の領域ができるように、例えば、直径５ｍｍ程度のステンレス丸棒の両端をつなぎ部５１でつなぎ合わせることにより形成される。また、リング状部材５０の中心は、長方形状の表示装置１０の中心１４と一致している。
【００４０】
図１０には、壁面に固定される回転プーリー２０（吊下げ部材）が示されている。この回転プーリー２０は、リング状部材５０の内側の穴の領域側からリング状部材５０に引っ掛かって、リング状部材５０をつり下げるフックとして機能する。また、回転プーリー２０は、リング状部材５０の回転に合わせて回転する。これにより、ユーザは表示装置１０の回転を容易に行うことができる。
【００４１】
図１１は、本発明の第２の実施形態に係る表示装置１０における連結部材１２ａの一例を説明するための図である。図１１に示すように、連結部材１２ａは、表示装置１０の背面に、リング状部材５０の外周側に備えられる。そして、この連結部材１２ａは、リング状部材５０の外周側からリング状部材５０と表示装置１０とを連結する。これにより、回転プーリー２０と連結部材１２ａとが接触し、表示装置１０の回転が妨げられることを防止できる。
【００４２】
図１２は、本発明の第２の実施形態に係る表示装置１０の断面の一例を示す図である。この断面図は、図１０に示した表示装置１０の中心１４を通り、表示装置１０を左右に分ける境界面３０により表示装置１０を切断した場合の左側の切断面を示している。図１２には、壁面４０と、壁面４０に固定される回転プーリー２０も示されている。図１２に示すように、回転プーリー２０は、リング状部材５０の穴の領域側からリング状部材５０に引っ掛かる。そして、表示装置１０は、壁面４０から離れて、回転プーリー２０により吊下げられる。また、リング状部材５０は表示装置１０に連結部材１２ａ、１２ｂにより連結される。
【００４３】
なお、回転プーリー２０は、リング状部材５０をカバーする脱落防止カバー２１を備えることとしてもよい。脱落防止カバー２１は、ある程度の力が加わらないと動かないように調整されている。脱落防止カバー２１が水平となるまでユーザが脱落防止カバー２１を倒すことにより、リング状部材５０が回転プーリー２０から不意に外れ、表示装置１０が壁面４０から落下してしまうことを防止することができる。
【００４４】
また、脱落防止カバー２１は、回転プーリー２０の回転をロックする機能も有している。具体的には、ユーザが脱落防止カバー２１を倒して脱落防止カバー２１で回転プーリー２０を押さえつけることにより、回転プーリー２０の回転をロックする。これにより、表示装置１０の重量バランスが左右非対称であったとしても、表示装置１０が壁面４０から斜めに吊下がることを防止することができる。なお、回転プーリー２０の回転をロックする方法はこれに限定されず、他の方法でロックしてもよい。
【００４５】
なお、脱落防止カバー２１が閉じられている場合、連結部材１２ａ〜１２ｃがあるリング状部材５０の箇所では、脱落防止カバー２１と連結部材１２ａ〜１２ｃとが接触するので、表示装置１０を回転させることができない。しかし、図１０に示す位置に、連結部材１２ａ〜１２ｃを設けることとすれば、連結部材１２ａ〜１２ｃがないリング状部材５０の部分が全体の４分の１以上あるので、横長画面と縦長画面とを切り替える際に問題となることはない。
【００４６】
図１３は、本発明の第２の実施形態に係る表示装置１０の回転について説明するための図である。ユーザが横長画面となっている表示装置１０を回転させると、その回転に伴い、リング状部材５０に回転プーリー２０が引っ掛かる位置がリング状部材５０の内周に沿って移動する（図１３（Ａ）を参照）。そして、表示装置１０が縦長画面となった場合に回転を停止することにより、ユーザは表示装置１０を横長画面から縦長画面に容易に切り替えることができる（図１３（Ｂ）を参照）。
【００４７】
ここで、上記第２の実施形態では、１つの回転プーリー２０を用いて表示装置１０を壁面４０に設置することとしたが、２つの回転プーリー２０を用いて表示装置１０を設置することとしてもよい。図１４、１５は、本発明の第２の実施形態に係る表示装置１０を２つの回転プーリー２０を用いて設置する方法の一例について説明するための図である。
【００４８】
図１４（Ａ）には、表示装置１０を横長画面にした例が示されている。この例において、２つの回転プーリー２０は、リング状部材５０の内側の穴の領域側からリング状部材５０の上部に引っ掛けられる。ユーザが横長画面となっている表示装置１０を回転させると、その回転に伴い、リング状部材５０に２つの回転プーリー２０が引っ掛かる位置がリング状部材５０の内周に沿って移動する。そして、表示装置１０が縦長画面となった場合に回転を停止することにより、図１４（Ｂ）に示すように、ユーザは表示装置１０を横長画面から縦長画面に容易に切り替えることができる。このように、２つの回転プーリー２０を用いて表示装置１０を壁面４０に吊下げることにより、表示装置１０の揺れが抑制される。
【００４９】
また、図１５（Ａ）に示すように、２つの回転プーリー２０は、リング状部材５０の上下の互いに対向する位置においてリング状部材５０を壁面４０に固定することとしてもよい。この場合、ユーザが横長画面となっている表示装置１０を回転させると、その回転に伴い、リング状部材５０が２つの回転プーリー２０に引っ掛かる位置がリング状部材５０の内周に沿って移動する。そして、表示装置１０が縦長画面となった場合に回転を停止することにより、図１５（Ｂ）に示すように、ユーザは表示装置１０を横長画面から縦長画面に容易に切り替えることができる。
【００５０】
ここで、可とう性を有する２つの回転プーリー２０をたわませて、リング状部材５０の上部に引っ掛かる回転プーリー２０がリング状部材５０を上方向に引っ張り、リング状部材５０の下部に引っ掛かる回転プーリー２０がリング状部材５０を下方向に引っ張るようにし、リング状部材５０を固定することとしてもよい。あるいは、可とう性を有するリング状部材５０をたわませて、リング状部材５０の上部に引っ掛かる回転プーリー２０がリング状部材５０を上方向に引っ張り、リング状部材５０の下部に引っ掛かる回転プーリー２０がリング状部材５０を下方向に引っ張るようにし、リング状部材５０を壁面４０に固定することとしてもよい。これにより、表示装置１０を壁面４０により確実に固定することができる。
【００５１】
また、図７で説明したプレート状部材１１の場合と同様に、リング状部材５０の中心が表示装置１０の中心１４からずれた位置となるようリング状部材５０を表示装置１０に取り付けることとしてもよい。これにより、横長画面と縦長画面とで画面の下端の位置が大きく変化することがなくなり、画面の切り替え後にユーザが感じる違和感を軽減できる。
【００５２】
また、図８で説明したプレート状部材１１の場合と同様に、表示装置１０が横長画面、あるいは、縦長画面として用いられる場合に回転プーリー２０がはまり込む凹部が、表示装置１０の長辺および短辺に対応するリング状部材５０のそれぞれの位置に形成されてもよい。これにより、表示装置１０の回転を止めるべき位置が明確になり、表示装置１０が壁面４０に斜めに掛けられることを容易に防止することができる。
【００５３】
なお、本発明は上述した実施形態に限定されず、本発明の要旨を逸脱しない範囲内で各種の変形、修正が可能である。
【００５４】
例えば、第１および第２の実施形態では、プレート状部材１１に形成された穴の領域１３やリング状部材５０の内側の穴の領域の形状が円形である場合について説明したが、プレート状部材１１の穴の領域１３やリング状部材５０の形状は円形に限らず、正方形や菱形などの他の形状であってもよい。そして、表示装置１０が横長画面、あるいは、縦長画面として用いられる場合に正方形や菱形の角部に回転プーリー２０がはまり込むようにプレート状部材１１やリング状部材５０を表示装置１０に取り付け、表示装置１０が壁面４０に斜めに掛けられることを防止することとしてもよい。
【符号の説明】
【００５５】
１０…表示装置、１１…プレート状部材、１２ａ〜１２ｄ…連結部材、１３…穴の領域、１４…表示装置の中心、１５ａ、１５ｂ…凹部、２０…回転プーリー、２１…脱落防止カバー、３０…境界面、４０…壁面、５０…リング状部材、５１…つなぎ部。
【図１】
2012220716.tif 000003
【図２】
2012220716.tif 000004
【図３】
2012220716.tif 000005
【図４】
2012220716.tif 000006
【図５】
2012220716.tif 000007
【図６】
2012220716.tif 000008
【図７】
2012220716.tif 000009
【図８】
2012220716.tif 000010
【図９】
2012220716.tif 000011
【図１０】
2012220716.tif 000012
【図１１】
2012220716.tif 000013
【図１２】
2012220716.tif 000014
【図１３】
2012220716.tif 000015
【図１４】
2012220716.tif 000016
【図１５】
2012220716.tif 000017